(57)【要約】    【課題】  ペットを繋げて置く紐は、引張強度を高めるため、太くしても、紐を巻き取るリール、これを内蔵した紐収納部は、大型重量にはしない。    【解決手段】  紐収納部３は、ケース１、２内にリール１２を設け、リール１２に紐１５を巻き付け、紐１５の先端をケース１、２の紐孔から外に出し、紐１５の先端にペットとの連結具１７を取り付け、リール１２に渦巻ばね１８で巻取り力を付与した。ケース外の紐１５を引っ張ると、リール１２が渦巻ばね１８に抗して回転し、紐１５がリール１２から巻き戻って紐孔から引き出される。ケース外の紐１５が緩むと、リール１２が渦巻ばね１８の力で回転し、紐１５がリール１２に巻き取られて紐孔から引き入れられる。紐１５は、断面形状が扁平な平紐にし、リール１２は、巻き幅を平紐１５の幅位にし、平紐１５は、リール１２に渦巻状に巻き取る構成にした。【選択図】  図２
0003114872.tif 000002
【実用新案登録請求の範囲】
【請求項１】
紐を巻き取るリールを内蔵した紐収納部と、使用者が掴む把持部を前後に設け、
紐収納部は、ケース内にリールを左右方向の軸の周りに回転可能に設け、リールに紐の基端を固定して紐を巻き付け、紐の先端をケースの紐孔からケースの前に出し、紐の先端にペットとの連結具を取り付け、リールに渦巻ばねで巻取り力を付与し、ケース外の紐を引っ張ると、リールが渦巻ばねに抗して回転し、紐がリールから巻き戻って紐孔から引き出され、ケース外の紐が緩むと、リールが渦巻ばねの力で回転し、紐がリールに巻き取られて紐孔から引き入れられる構成にし、使用者の手動操作でリールの回転を止める制止機構を設けたペット用引き紐において、
紐は、断面形状が左右方向に扁平な平紐にし、
リールは、左右方向の巻き幅を平紐の幅位にし、
平紐は、リールに渦巻状に巻き取る構成にしたことを特徴とするペット用引き紐。
【請求項２】
リールは、巻き胴の左右の両端にフランジを設け、両フランジ間の距離を平紐の幅位にし、
平紐は、リールの巻き胴に渦巻状に巻き付いて両フランジ間に多層に重なる構成にしたことを特徴とする請求項１に記載のペット用引き紐。
【考案の詳細な説明】
【技術分野】
【０００１】
本考案は、犬や猫のようなペットの引き紐であって、引き紐の長さが増減するペット用引き紐に関する。
【背景技術】
【０００２】
この種のペット用引き紐は、特許文献１に開示されているように、紐収納部と把持部を前後に設けている。紐収納部は、ケース内に、軸を左右方向に沿って設け、リールを軸の周りに回転可能に設けている。リールには、紐の基端を固定し、紐を巻き付けている。紐の先端は、ケースの紐孔からケースの前に出し、連結具を取り付けている。リールと軸との間には、渦巻ばねを取り付けて、リールに巻取り力を付与している。ケースには、押しボタン操作でリールの回転を止める制止機構を設けている。
【０００３】
使用者は、把持部を掴み、紐収納部の前に出た紐先端の連結具をペットの首輪などに繋ぐ。ペットが紐収納部から遠ざかって紐収納部外の紐を引っ張ると、リールが渦巻ばねに抗して回転し、紐がリールから巻き戻って紐孔から引き出される。紐収納部外の紐、引き紐は、長さが増加する。逆に、ペットが紐収納部に近づいて紐収納部外の紐が緩むと、リールが渦巻ばねの力で回転し、紐がリールに巻き取られて紐孔から引き入れられる。引き紐は、長さが減少する。使用者が押しボタン操作でリールの回転を止めている間、紐の引き出し又は引き入れが停止される。引き紐は、長さが固定される。
【０００４】
【特許文献１】実開平３−２３１６６号公報
【考案の開示】
【考案が解決しようとする課題】
【０００５】
上記のようなペット用引き紐においては、ペットを繋げて置く紐は、引張強度が高いことが望まれる。また、紐を巻き取るリールを内蔵した紐収納部は、小型で軽量であることが望まれる。
【０００６】
ところが、紐は、引張強度を高めるため、太くすると、リールが大きくなって重くなり、紐収納部が大型で重量になってしまう。
【０００７】
［課題を解決するための研究、着想］
１）従来のペット用引き紐においては、図４（ａ）に示すように、紐は、丸紐Ｒである。紐Ｒの断面形状が円形状である。リール１２は、円筒形状の巻き胴１３の左右の両端に円輪板形状のフランジ１４を設けている。リール１２の両フランジ１４間の距離、巻き幅は、丸紐Ｒの径の数倍である。
【０００８】
丸紐Ｒは、リール１２に巻き取られる際、最初、巻き胴１３に一端のフランジ１４側から他端のフランジ１４側にトラバースしつつ巻き付いて、即ち、螺旋状に巻き付いて円筒形状になる。円筒形状の巻き体がリール１２の巻き幅一杯になると、その円筒形状の巻き体、第１層の巻き体の上に、逆向きにトラバースしつつ、他端のフランジ１４側から一端のフランジ１４側に螺旋状に巻き付いて円筒形状に巻き取られる。その第２層の巻き体がリール１２の巻き幅一杯になると、第２層の巻き体の上に、一端のフランジ１４側から他端のフランジ１４側にトラバースしつつ、螺旋状に巻き付いて円筒形状に巻き取られる。
【０００９】
このようにして丸紐Ｒがリール１２に巻き取られると、リール１２の巻き体は、丸紐Ｒがリール１２の軸方向、左右とリール１２の径方向、上下に並び、それらの間に星形断面形状の細長い隙間、空間が形成される。この丸紐Ｒ間の細長い空間は、丸紐Ｒを太くすると、星形断面形状が大きくなって、増加する。
【００１０】
この紐間の空間は、リールを大きくする原因の１つになっている。紐の引張強度を高めることには貢献していない。無駄な空間である。
【００１１】
２）一方、図４（ｂ）に示すように、紐は、平紐１５にする。紐１５の断面形状が扁平長方形状である。リール１２の巻き幅は、平紐１５の幅位にする。そして、平紐１５は、リール１２に、トラバースすることなく、螺旋状ではなく、渦巻状に巻き取る。すると、リール１２の巻き体は、平紐１５が左右に並ばず、上下に重なり、それらの間に隙間、空間が形成されない。平紐１５を太くしても、上下の平紐１５の間に、リール１２を大きくする原因となる無駄な空間が形成されない。
【００１２】
換言すると、紐は、平紐１５にし、リール１２に渦巻状に巻き取る構成にする。すると、紐の引張強度を高めるため、平紐１５を太くしても、丸紐Ｒにおける程には、リール１２が大きくならない。紐収納部が大型重量にならない。
【００１３】
平紐１５と丸紐Ｒの断面積が同じであれば、平紐１５用のリールは、丸紐Ｒ用のリールより小型になる。軽量になる。平紐１５用のリールと丸紐Ｒ用のリールの巻取り部分の断面積が同じであれば、平紐１５は、丸紐Ｒより断面積が多くなる。引張強度が高くなる。
【課題を解決するための手段】
【００１４】
１）紐を巻き取るリールを内蔵した紐収納部と、使用者が掴む把持部を前後に設け、
紐収納部は、ケース内にリールを左右方向の軸の周りに回転可能に設け、リールに紐の基端を固定して紐を巻き付け、紐の先端をケースの紐孔からケースの前に出し、紐の先端にペットとの連結具を取り付け、リールに渦巻ばねで巻取り力を付与し、ケース外の紐を引っ張ると、リールが渦巻ばねに抗して回転し、紐がリールから巻き戻って紐孔から引き出され、ケース外の紐が緩むと、リールが渦巻ばねの力で回転し、紐がリールに巻き取られて紐孔から引き入れられる構成にし、使用者の手動操作でリールの回転を止める制止機構を設けたペット用引き紐において、
紐は、断面形状が左右方向に扁平な平紐にし、
リールは、左右方向の巻き幅を平紐の幅位にし、
平紐は、リールに渦巻状に巻き取る構成にしたことを特徴とする。
【００１５】
２）上記のペット用引き紐において、
リールは、巻き胴の左右の両端にフランジを設け、両フランジ間の距離を平紐の幅位にし、
平紐は、リールの巻き胴に渦巻状に巻き付いて両フランジ間に多層に重なる構成にしたことを特徴とする。
【考案の効果】
【００１６】
ペットに繋げる紐は、平紐にし、リールに渦巻状に巻き取る。
平紐は、引張強度を高めるため、断面積を増やしても、丸紐における程には、リールが大きくならず、重くならない。紐収納部が大型重量にはならない。
【考案を実施するための最良の形態】
【００１７】
ペット用引き紐は、図１〜図３に示すように、ケース１、２を二分割式にして左右に分離可能にしている。紐を巻き取るリールを内蔵した紐収納部３は、前側に設けている。使用者が手で掴む把持部４は、後側に設けている。
【００１８】
紐収納部３は、ケース１、２内に中心軸１１を左右方向に沿って設け、中心軸１１に回り止めを施している。また、ケース１、２内には、リール１２を、中心軸１１と同心に配置し、中心軸１１の周りに回転可能に設けている。リール１２は、円筒形状の巻き胴１３を中心軸１１と同心に設け、巻き胴１３の左右の両端にそれぞれ円輪板形状のフランジ１４を同心に設けている。巻き胴１３は、外周に紐１５の基端を固定し、紐１５を巻き付けている。紐１５の先端は、ケース１、２の前上部に貫通した紐孔１６からケース１、２の前に出し、フック形状の連結具１７を取り付けている。巻き胴１３の内周と非回転の中心軸１１との間には、渦巻ばね１８を取り付けて、リール１２に巻取り力を付与している。
【００１９】
紐１５は、平紐であり、断面形状が左右方向に扁平な長方形状である。平紐１５は、織物である。リール１２は、左右の両フランジ１４間の距離、巻き胴１３の左右方向の巻き幅を平紐１５の幅位、平紐１５の幅強にしている。平紐１５は、巻き胴１３に隙間なく渦巻状に巻き付き、両フランジ１４間に多層に重なっている。
【００２０】
ケース１、２外の平紐１５の先端ないし連結具１７を引っ張ると、リール１２が渦巻ばね１８に抗して回転し、平紐１５がリール１２から巻き戻って繰り出される。平紐１５は、紐孔１６からケース１、２外に引き出される。ケース１、２外の平紐１５は、長さが増加する。ケース１、２外の平紐１５が緩むと、リール１２が渦巻ばね１８の弾性力で回転し、平紐１５がリール１２に渦巻状に巻き取られる。平紐１５は、紐孔１６からケース１、２内に引き入れられる。ケース１、２外の平紐１５は、長さが減少する。
【００２１】
ケース１、２には、押しボタン操作でリール１２の回転を止める制止機構を設けている。ケース１、２の上部には、ケース１、２の上面からリール１２の回転中心に向かって操作孔２１を設け、操作孔２１に操作棒２２を挿入している。操作棒２２は、先端をリール１２の両フランジ１４の外周面に対面し、基端をケース１、２の上に突出している。
【００２２】
操作棒２２の中央部には、その長手方向に細長い横孔２３を左右方向に貫通している。横孔２３は、先端側に、ケース１内面に形成した突片２４を差し込み、突片２４と横孔２３の基端側との間に螺旋ばね２５を嵌め込んでいる。ケース１、２上に突出した操作棒２２の基端、言わば押しボタンは、螺旋ばね２５に抗して押し込むと、操作棒２２が前進し、操作棒２２の先端がリール１２の両フランジ１４の外周面に当る。操作棒２２の押込み力をなくすと、操作棒２２が螺旋ばね２５の弾性力で後退し、操作棒２２の基端がケース１、２上に突出し、操作棒２２の先端がリール１２の両フランジ１４の外周面から離れる。リール１２の両フランジ１４は、それぞれ、外側面に山形状の突起２６を形成し、外周面に突起２６の先端を少し突出して、操作棒２２先端との滑り止めを施している。
【００２３】
使用者は、手で把持部４を掴み、紐収納部３の前に位置する連結具１７を犬や猫のようなペットの首輪などに繋ぐ。ペットが紐収納部３から遠ざかって紐収納部３外の平紐１５を引っ張ると、リール１２が渦巻ばね１８に抗して回転する。平紐１５は、リール１２から巻き戻って、紐孔１６から引き出される。ケース１、２外の平紐１５、引き紐は、長さが増加する。逆に、ペットが紐収納部３に近づいて紐収納部３外の平紐１５が緩むと、リール１２が渦巻ばね１８の弾性力で回転する。平紐１５は、リール１２に渦巻状に巻き取られ、紐孔１６から引き入れられる。ケース１、２外の平紐１５、引き紐は、長さが減少する。
【００２４】
使用者が指で操作棒２２の基端、押しボタンを螺旋ばね２５に抗して押し込むと、操作棒２２の先端がリール１２の両フランジ１４の外周面に当り、回転中のリール１２が回転を停止する、又は、停止中のリール１２が回転を禁止される。使用者が手動操作でリール１２の回転を止めている間、平紐１５の引き出し又は引き入れが停止される。引き紐は、長さが固定される。
【００２５】
ペット用引き紐においては、平紐１５は、断面積が大きくて引張強度が高く、かつ、リール１２と紐収納部３が大型重量にはならない。
【図面の簡単な説明】
【００２６】
【図１】本考案の実施形態におけるペット用引き紐のケースの片側を取り外した状態の部分破断側面図。
【図２】図１のＡ−Ａ線断面図。
【図３】同ペット用引き紐の正面図。
【図４】ペット用引き紐における紐とリールの関係を説明する断面図で、（ａ）は従来品の説明図、（ｂ）は本考案の説明図。
【符号の説明】
【００２７】
Ｒ  丸紐
１、２  ケース
３  紐収納部
４  把持部
１１  中心軸
１２  リール
１３  リールの巻き胴
１４  リールのフランジ
１５  紐、平紐
１６  紐孔
１７  ペットとの連結具
１８  渦巻ばね
２１  制止機構の操作孔
２２  制止機構の操作棒
２３  横孔
２４  突片
２５  螺旋ばね
２６  滑り止め用突起
【図１】
0003114872.tif 000003
【図２】
0003114872.tif 000004
【図３】
0003114872.tif 000005
【図４】
0003114872.tif 000006